(57)【要約】【課題】  建設機械に使用される交換部品について、純正品、模倣品の識別を容易に行うことができ、模倣品を識別した場合には、機械の稼動停止指令あるいは警告を発する建設機械の交換部品識別装置を提供する。【解決手段】  必要情報を記憶し、純正品のフィルタ３，８に埋め込まれたＩＣチップ４，９と、フィルタ３，８が組み込まれる機器類２，７に取り付けられ、ＩＣチップ４，９に記憶した必要情報を検知したとき交換部品として純正品のフィルタ３，８が組み込まれたとする検知信号を出力し、交換部品として模倣品が組み込まれたとき異常検知信号を出力するセンサー５，１０と、異常検知信号に基づいて建設機械の稼動停止指令および／あるいはモニター１２等を通じて警報を発するコントローラ１１とから構成した。【選択図】  図１
2005273196.tif 000002
【特許請求の範囲】
【請求項１】
建設機械の機器類に使用される交換可能な交換部品等の純正品、模倣品を識別する識別装置であって、必要情報を記憶し、前記純正品に取り付けられたＩＣチップと、前記交換部品等が組み込まれる機器類に取り付けられるとともに、前記ＩＣチップに記憶した必要情報を検知したとき前記交換部品として前記純正品が組み込まれたとする検知信号を出力し、前記交換部品として前記模倣品が組み込まれたとき異常検知信号を出力するセンサーと、前記センサーからの異常検知信号に基づいて建設機械の稼動を停止および／あるいはモニター等を通じて警報を発するコントローラとを備えたことを特徴とする建設機械の交換部品識別装置。
【請求項２】
前記コントローラは、前記センサーからの信号に基づき前記交換部品として前記模倣品が機器類に組み込まれたと判断したとき、該組み込まれた時期を記憶するようにした請求項１に記載の建設機械の交換部品識別装置。
【請求項３】
前記コントローラは、前記センサーからの信号に基づき前記交換部品として前記純正品が機器類に組み込まれたと判断したとき、該組み込まれた時期を記憶し、次回交換時期を演算し、該次回交換時期を前記モニター等に表示するとともに、前記純正品の交換の有無および交換の回数を記憶するようにした請求項１または２に記載の建設機械の交換部品識別装置。
【発明の詳細な説明】
【技術分野】
【０００１】
本発明は、油圧ショベル等の建設機械に使用される交換可能な交換部品の純正品、模倣品を識別する識別装置に関する。
【背景技術】
【０００２】
従来、油圧ショベル等の建設機械には、使用時間に伴って交換が必要なエンジンオイルエレメント、リターンフィルタ、パイロットフイルタ、エアコンフィルタ等の補用品（交換部品）が数多く使用されている。これらの交換が必要な補用品は、新しい補用品に交換する際、建設機械のメーカーがその性能を補償した純正品を使用することが好ましい。
【０００３】
しかしながら、従来例えば、これらフィルタ類の補用品に模倣品が使用されることが多く、その模倣品の粗悪な構造によりフィルタ効果が発揮できず、機器類の故障につながることが多かった。また、模倣品が使用された場合、機器類の故障原因を特定することも困難であった。模倣品防止のため、フィルタの構造を複雑にする等が考えられてきたが、構造がより複雑になるため、コスト高となり価格上昇につながっていた。また、構造を変更しても即座に模倣品が出回ることとなり、抑止効果があまり期待できなかった。
【０００４】
なお、前述した建設機械における従来技術に関する文献は、これまでのところみあたらない。また、複写機等における純正交換部品識別装置に関して下記の特許文献１がある。
【特許文献１】特開平１０−６９１３９号公報
【発明の開示】
【発明が解決しようとする課題】
【０００５】
本発明の第１の課題は、建設機械に使用される交換部品について、純正品、模倣品の識別を容易に行うことができ、模倣品を識別した場合には、機械の稼動停止あるいはモニター等を通じてオペレータに警告を発し、機器類の保護と模倣品の抑止効果を発揮することのできる建設機械の交換部品識別装置を提供することにある。
【０００６】
また、本発明の第２の課題は、前記本発明の第１の課題に加え、模倣品が組み込まれた時期を把握し、建設機械の故障原因の特定を容易に行うことのできる建設機械の交換部品識別装置を提供することにある。
【０００７】
さらに、本発明の第３の課題は、前記本発明の第１の課題あるいは第２の課題に加え、純正品が組み込まれたとき、次回交換時期をオペレータに知らせることができるとともに、純正品の交換の有無、時期、交換回数を把握することができる建設機械の交換部品識別装置を提供することにある。
【課題を解決するための手段】
【０００８】
第１の発明は、前記本発明の第１の課題を達成するために、建設機械の機器類に使用される交換可能な交換部品等の純正品、模倣品を識別する識別装置において、必要情報を記憶し、前記純正品に取り付けられたＩＣチップと、前記交換部品等が組み込まれる機器類に取り付けられるとともに、前記ＩＣチップに記憶した必要情報を検知したとき前記交換部品として前記純正品が組み込まれたとする検知信号を出力し、前記交換部品として前記模倣品が組み込まれたとき異常検知信号を出力するセンサーと、前記センサーからの異常検知信号に基づいて建設機械の稼動を停止および／あるいはモニター等を通じて警報を発するコントローラを備えたことにある。
【０００９】
第２の発明は、前記本発明の第２の課題を達成するために、前記第１の発明に加え、前記コントローラは、前記センサーからの信号に基づき前記交換部品として前記模倣品が機器類に組み込まれたと判断したとき、該組み込まれた時期を記憶するようにしたものである。
【００１０】
第３の発明は、前記本発明の第３の課題を達成するために、第１あるいは第２の発明に加え、前記コントローラは、前記センサーからの信号に基づき前記交換部品として前記純正品が機器類に組み込まれたと判断したとき、該組み込まれた時期を記憶し、次回交換時期を演算し、該次回交換時期を前記モニター等に表示するとともに、前記純正品の交換の有無、交換の時期および交換の回数を記憶し、モニター等に表示するようにしたものである。
【発明の効果】
【００１１】
前記第１の発明によれば、ＩＣチップとセンサーとを組み合わせることによって、建設機械の機器類に組み込まれる交換部品について、純正品、模倣品の識別を容易に行うことができ、また、模倣品を識別した場合には、建設機械の稼動停止指令および／あるいはモニター等を通じてオペレータに警告を発することができるので、機器類の保護と模倣品の抑止効果を発揮することができる。さらに、ＩＣチップとセンサーの組み合わせによって識別装置が構成されているので、模倣品対策として交換部品等の構造を複雑にする必要がなく、交換部品等の構造を簡素化でき、交換部品の製造コストを抑え、販売価格を抑えることができる。
【００１２】
前記第２の発明によれば、前記第１の発明の効果に加え、コントローラにおいて、前記センサーが前記交換部品として模倣品が組み込まれたことを検出したとき、その組み込まれた時期を記憶するようにしたので、建設機械に故障が発生したとき、模倣品が組み込まれた時期を把握して、建設機械の故障原因の特定を容易に行うことができる。
【００１３】
前記第３の発明によれば、前記第１あるいは第２の発明の効果に加え、コントローラにおいて、センサーが交換部品として純正品が組み込まれたことを検出したとき、その組み込まれた時期を記憶するようにしたので、交換部品の次回交換時期をオペレータに知らせることができる。さらに、純正品の交換の有無、交換時期、交換回数を記憶するようにしたので、これら情報に基づいて、建設機械を常に最良の状態で稼動させることができる。
【発明を実施するための最良の形態】
【００１４】
以下、本発明の建設機械の交換部品識別装置の実施の形態を、図１のブロック図に基づいて説明する。エンジンオイルフィルタ３、リターンフィルタ８等の建設機械の交換部品等（補用品）の純正品、模倣品を識別する建設機械の交換部品識別装置は、建設機械のメーカーが補償する純正の交換部品に埋め込まれ、必要情報を記憶したＩＣチップ４，９と、ＩＣチップ４，９に記憶された必要情報を検知することのできるセンサー５，１０と、センサー５，１０に接続されたコントローラ１１と、コントローラに接続されたモニター１２とを備えている。
【００１５】
図１において、符号１は、建設機械のエンジンであり、符号２は、エンジンオイルフィルタケース２である。エンジンオイルフィルタケース２には、建設機械のメーカーが補償する純正品のエンジンオイルフィルタ３が組み込まれている。純正品のエンジンオイルフィルタ３には、必要情報を記憶したＩＣチップ４が埋め込まれている。エンジンオイルフィルタケース２側には、ＩＣチップ４に記憶された必要情報を検知することができるセンサー５が取り付けられている。センサー５は、純正品のエンジンオイルフィルタ３がエンジンオイルフィルタケース２に組み込まれたとき、その純正品のエンジンオイルフィルタ３に埋め込まれたＩＣチップ４に記憶された必要情報を検知できる位置に適宜配置されている。センサー５は信号線１３を介してコントローラ１１に接続されており、センサー５で検知した信号をコントローラ１１に出力するようになっている。
【００１６】
純正品のエンジンオイルフィルタ３が寿命に達したとき、新たなエンジンオイルフィルタがエンジンオイルフィルタケース２に組み込まれる。センサー５は、純正品のエンジンオイルフィルタ３が新たに組み込まれた場合は、センサー５が純正品のエンジンオイルフィルタ３に組み込まれたＩＣチップ４に記憶された必要情報を検知し、純正品のエンジンオイルフィルタ３が交換された旨の信号を出力し、純正品以外のエンジンオイルフィルタ（以下、「模倣品のエンジンオイルフィルタ」という）が組み込まれた場合は、センサー５がＩＣチップ４に記憶されたような必要情報を検知することがないので、この場合異常検知信号を出力するようになっている。
【００１７】
符号６は、建設機械の油圧機器（以下、単に「油圧機器」という。）からの作動油が戻される作動油タンクであり、作動油タンク６内には、油圧機器から戻ってくる作動油を受け入れるリターン室７が設けられている。リターン室７内には、リターン室７に受け入れられた作動油を濾過する純正品のリターンフィルタ８が組み込まれている。純正品のリターンフィルタ８には、エンジンオイルフィルタ３とは異なる必要情報を記憶したＩＣチップ９が埋め込まれている。符号１０は、リターン室７側に設けられたセンサーであり、純正品のリターンフィルタ８がリターン室７内に組み込まれたとき、その純正品のリターンフィルタ８に埋め込まれたＩＣチップ９に記憶された必要情報を検知できる位置に配置されている。センサー１０は信号線１４を介してコントローラ１１に接続されており、センサー１０で検知した信号をコントローラ１１に出力するようになっている。
【００１８】
センサー１０は、センサー５と同様に、交換部品である新たなリターンフィルタをリターン室７に組み込んだとき、純正品のリターンフィルタ８が組み込まれた場合は、純正品である新たなリターンフィルタ８が交換された旨の信号を出力し、純正品以外のリターンフィルタ（以下、「模倣品のリターンフィルタ」という）が組み込まれた場合には、異常検知信号を出力するようになっている。
【００１９】
センサー５、１０が接続するコントローラ１１には、信号線１５を介してエンジン１側に設けられたエンジン稼動停止手段（図示せず）が接続され、また、信号線１６を介してモニター１２等が接続されている。エンジン稼動停止手段、モニター１２等は、コントローラ１１からの出力信号によって制御されるようになっている。
【００２０】
コントローラ１１は、センサー５から異常検知信号が出力された場合には、模倣品のエンジンオイルフィルタが組み込まれたと判断してその組み込まれた時期を記憶するようになっている。同時に、コントローラ１１は、センサー５からの異常検知信号に基づいて、エンジン稼動停止手段に対してエンジン１を停止する建設機械の稼動停止指令を発するか、あるいは、モニター１２等を通じて、オペレータに模倣品のエンジンオイルフィルタが組み込まれた旨の警告を発するようになっている。なお、建設機械の稼動停止指令と警告とを同時に行うようにしてもよい。また、コントローラ１１に記憶された模倣品のエンジンオイルフィルタが組み込まれた時期は、適宜モニター１２等に表示できるようになっている。
【００２１】
同様に、コントローラ１１は、センサー１０から異常検知信号が出力された場合には、模倣品のリターンフィルタが組み込まれたと判断してその組み込まれた時期を記憶するとともに、センサー１０からの異常検知信号に基づいて、建設機械の稼動停止指令、あるいは、モニター１２等を通じて、オペレータに模倣品のリターンフィルタが組み込まれた旨の警告を発するようになっている。なお、建設機械の稼動停止指令と警告とを同時に行うようにしてもよい。また、コントローラ１１に記憶された模倣品のリターンフィルタの組み込まれた時期は、適宜モニター１２等に表示できるようになっている。
【００２２】
また、コントローラ１１は、センサー５から純正品である新たなエンジンオイルフィルタ３が交換されたとする信号が出力された場合には、その純正品が組み込まれた時期を記憶するとともに、この組み込まれた時期に基づいてエンジンオイルフィルタの次回交換時期を演算し、次回交換時にモニター１２等を通じてエンジンオイルフィルタの交換時期がきたことをオペレータに知らせるようになっている。同時に、コントローラ１１は、エンジンオイルフィルタの純正品の交換の有無や純正品の交換回数を記憶するようになっている。さらに、これらエンジンオイルフィルタの純正品の交換の有無、交換の時期、交換回数は、適宜モニター１２等に表示できるようにされている。
【００２３】
同様に、コントローラ１１は、センサー１０から純正品である新たなリターンフィルタ８が交換されたとする信号が出力された場合には、その純正品が組み込まれた時期を記憶するとともに、次回交換時期を演算し、次回交換時にモニター１２等を通じてリターンフィルタの交換時期がきたことをオペレータに知らせるようになっている。同時に、コントローラ１１は、リターンフィルタの純正品の交換の有無や交換回数を記憶するようになっている。さらに、これらリターンフィルタの純正品の交換の有無、交換の時期、交換回数は、適宜モニター１２等に表示できるようにされている。
【００２４】
このように構成された建設機械の交換部品識別装置によれば、純正品のエンジンオイルフィルタ３やリターンフィルタ８（以下、「純正の交換部品３，８等」という）に必要情報を記憶させたＩＣチップ４，９（以下、「ＩＣチップ４，９」という）を直接埋め込み、その必要情報をエンジンオイルフィルタケース２やリターン室７（以下、「機器類２，７等」という）に取り付けたセンサー５，１０（以下、「センサー５，１０」という。）で読み取るようにしたので、機器類２，７等に組み込まれる新たなエンジンオイルフィルタやリターンフィルタ（以下、「新たな交換部品等」という）が純正品であるか模倣品であるかをセンサー５，１０によって容易に区別することができる。そして、機器類２，７等に組み込まれた新たな交換部品等が模倣品であることをセンサー５，１０が検知した場合には、コントローラ１１は、建設機械の稼動停止指令あるいはモニター１２等を通じてオペレータに警告を発するようにしたので、機器類の保護と模倣品の抑止効果を発揮することができる。さらに、純正の交換部品等に埋め込まれたＩＣチップ４，９と機器類２，７等に取り付けたセンサー５，１０の組み合わせによって識別装置が構成されているので、模倣品対策として純正の交換部品３，８等の構造を複雑にする必要がなく、純正の交換部品等の構造を簡素化でき、純正の交換部品３，８等の製造コストを抑え、販売価格を抑えることができる。
【００２５】
また、センサーが、新たな交換部品として模倣品が組み込まれたことを検出したとき、その組み込まれた時期をコントローラ１１が記憶し、モニター１２等に適宜表示できるようにしたので、建設機械に故障が発生した場合、模倣品が組み込まれた時期が把握でき、建設機械の故障原因の特定を容易に行うことができる。
【００２６】
さらに、センサーが交換部品として純正品の交換部品３，８等が組み込まれたことを検出したとき、その組み込まれた時期をコントローラ１１に記憶し、交換部品等の次回交換時期をコントローラ１１で演算し、その交換時期をモニター１２等を通じてオペレータに知らせるようにしたので、交換部品等のメンテナンスを容易に行うことができる。また、コントローラ１１は、純正品の交換の有無、交換時期、交換回数を記憶し、適宜モニター１２等に表示できるようにしたので、建設機械を常に最良の状態で稼動させることができる。
【００２７】
以上、本発明の実施の形態について説明したが、本発明は、前述した実施の形態に限定されず種々の設計変更が可能であり、それらはいずれも本発明に含まれる。
【００２８】
例えば、本発明の実施の形態では、交換部品としてエンジンオイルフィルタやリターンフィルタについて説明したが、本発明は、例えば、パイロットフイルタやエアコンフィルタ等のような定期的に交換が必要となる補用品のすべてに適用することができる。
【図面の簡単な説明】
【００２９】
【図１】本発明の建設機械の交換部品識別装置の概略ブロック図。
【符号の説明】
【００３０】
１              建設機械のエンジン
２              エンジンオイルフィルタケース
３              エンジンオイルフィルタ
４              ＩＣチップ
５              センサー
６              作動油タンク
７              リターン室
８              リターンフィルタ
９              ＩＣチップ
１０            センサー
１１            コントローラ
１２            モニター
【図１】
2005273196.tif 000003